(57)【要約】【課題】  表示画面を有する表示側筐体２及び操作側筐体１を回転ヒンジ３により、双方の筐体の対向面上で回転可能にすることで、表示画面を横長画面に配置できるようにすることができ、テレビ放送を横長画面で視聴できる。しかし、表示画面をユーザの見やすい角度に調整することができなかった。【解決手段】  操作側筐体１及び表示側筐体２を回転ヒンジ３で回転可能に連結すると共に、第１及び第２のプレート４、５が支承するシャフト９を中心に操作側筐体１及び表示側筐体２が回転できるように構成することで、表示側筐体２を操作側筐体１に対して傾斜させて保持することができ、表示画面をユーザの見やすい角度に調整することができる。【選択図】          図４
2008227573.tif 000002
【特許請求の範囲】
【請求項１】
表面側に操作キーが配列された操作側筐体、
表面側に表示部を有し、裏面側が上記操作側筐体表面側と対向して重なるように配置された表示側筐体、
上記操作側筐体又は上記表示側筐体の一方の筐体に本体が固定され、上記操作側筐体及び上記表示側筐体を対向面上で回転可能にする回転ヒンジ、
この回転ヒンジのヒンジ軸に連結され、上記一方の筐体の長手方向に回転軸を支承する軸支承部を有する第１のプレート、
上記操作側筐体又は上記表示側筐体の他方の筐体に固定され、該他方の筐体の長手方向に上記回転軸を支承する軸支承部を有する第２のプレートを備えたことを特徴とする携帯電子機器。
【請求項２】
回転ヒンジは、操作側筐体及び表示側筐体が互いになす角度が９０°及び１８０°に回転した状態で位置決め可能なことを特徴とする請求項１に記載の携帯電子機器。
【請求項３】
操作側筐体及び表示側筐体が回転ヒンジによって回転していない位置又は９０°回転した位置で、操作側筐体及び表示側筐体が回転軸を中心に回転し、位置決めされることを特徴とする請求項１に記載の携帯電子機器。
【請求項４】
表示側筐体の略全域に表示部が設けられていることを特徴とする請求項１に記載の携帯電子機器。
【請求項５】
回転ヒンジは、操作側筐体及び表示側筐体の長手方向中央より一方の端部に偏在した位置を中心に回転することを特徴とする請求項１に記載の携帯電子機器。
【発明の詳細な説明】
【技術分野】
【０００１】
本発明は、表示部を有する表示側筐体と操作部を有する操作側筐体を開閉可能に連結した携帯電話機等の携帯電子機器に関するものである。
【背景技術】
【０００２】
近年の携帯電話機にあっては、表示側筐体と操作側筐体とをヒンジで連結した形態が一般的になっており、とりわけ縦長の筐体の一端をヒンジで開閉可能にした縦長折り畳み式が主流になっている。この縦長折り畳み式の携帯電話機は、表示側筐体の略全域に表示画面を配置することができるので、大画面の表示画面を搭載することが可能である。
【０００３】
一方、携帯電話機に搭載するアプリケーション機能としては、ワンセグテレビジョン放送の視聴やゲームアプリが搭載され、テレビジョン放送視聴時のように横長の大画面で操作することが望ましい機能が普及してきた。
【０００４】
このようなアプリケーション機能の操作において、近年の主流である縦長折り畳み式の携帯電話機は、基本的に画面が縦長となってしまうため、大画面全体にワンセグテレビジョン放送やゲームアプリを表示しながらの操作が困難であり、画面表示もユーザーにとって見やすいものではなかった。そこで、表示部を縦長の画面配置、横長の画面配置に切換え可能な携帯電話機が従来より提案されている。
【０００５】
例えば、特許文献１に記載された携帯電話機は、操作部を有する操作側ユニットと表示部を有する表示側ユニットと各々のユニットの端部を開閉自由に結合するヒンジ部とを有する折り畳み携帯帯電話機であり、表示側ユニットを表示ユニットと支持ユニットとに二分割し、支持ユニットに対して表示ユニットを表示部に垂直な軸方向に回転可能に構成した携帯電話機が提案されている。
【０００６】
【特許文献１】特開２００１−１５６８９３号公報
【発明の開示】
【発明が解決しようとする課題】
【０００７】
特許文献１においては、表示側ユニットが表示ユニットと支持ユニットとから構成されているので、携帯電話機全体の筐体構成としては、３層のユニット構成となる為、筐体の厚みが厚くなってしまう問題点があった。
【０００８】
また、表示ユニットを横長画面配置とした場合、表示ユニットと操作側ユニットとが離隔してしまうので、ユーザにとって操作が困難であった。
【０００９】
この発明は、上記のような従来の問題点に鑑みてなされたものであり、薄型構造で横長画面配置としても表示画面が見やすく、かつ、操作が容易な携帯電話機を得ることを目的としている。
【課題を解決するための手段】
【００１０】
本発明に係る携帯電話機は、表面側に操作キーが配列された操作側筐体、表面側に表示部を有し、裏面側が上記操作側筐体表面側と対向して重なるように配置された表示側筐体、上記操作側筐体又は上記表示側筐体の一方の筐体に本体が固定され、上記操作側筐体及び上記表示側筐体を対向面上で回転可能にする回転ヒンジ、この回転ヒンジのヒンジ軸に連結され、上記一方の筐体の長手方向に回転軸を支承する軸支承部を有する第１のプレート、上記操作側筐体又は上記表示側筐体の他方の筐体に固定され、該他方の筐体の長手方向に上記回転軸を支承する軸支承部を有する第２のプレートを備えて構成したものである。
【発明の効果】
【００１１】
本発明によれば、第１のプレート及び第２のプレートが支承する回転軸を中心に操作側筐体及び表示側筐体が回転するように構成されているので、操作側筐体に対して表示画面を有した表示側筐体を傾斜させて保持することができ、ユーザにとって表示画面を見やすい角度に調整することができる効果がある。
【発明を実施するための最良の形態】
【００１２】
以下、この発明の実施の形態について説明する。
【００１３】
図１は、本発明の実施の形態に係る回転操作状態を示す状態図である。図１の（ａ）は操作側筐体及び表示側筐体が回転していない本体閉状態を示し、操作側筐体と表示側筐体が重なりあっている状態である。（ａ）の状態では、操作側筐体の同図の紙面の下側に送話装置があるので、通話時は受話装置Ａが受話音を発する。（ａ）の状態から（ｂ）〜（ｄ）の時計方向の回転動作により、９０°回転すると表示側筐体の表示画面はテレビジョン放送を視聴するのに適した横長表示に切り替わる。（ｄ）の状態では表示画面の両側を挟む受話装置Ａ、Ｂの双方がスピーカとして音を発し、ステレオ音を発する。また、（ａ）の状態から（ｅ）〜（ｇ）の反時計方向の回転動作により、操作側筐体と表示側筐体とが１８０°回転した状態になることができる。(g)の状態では、操作側筐体１に設けられた送話装置からより離れた受話装置Ｂが受話音を発する。
【００１４】
図２は、操作側筐体及び表示側筐体の回転機構の構成部品を示す斜視図である。図において、１は操作部を有する操作側筐体、１−ａは回転ヒンジ取り付け用の操作側筐体蓋であり、操作側筐体１本体とで回転ヒンジ３を挟みつけて取り付ける。２は主となる表面のほとんどの領域を表示画面８が占める表示側筐体、３は操作側筐体１に本体が固定され、表示側筐体２を該表示側筐体２と操作側筐体との対抗面上で回転可能に連結する回転ヒンジ、４はこの回転ヒンジ３のヒンジ軸に連結され、操作側筐体１の長手方向に回転軸となるシャフト９を支承する支承部を有する第１プレート、５は表示側筐体２に固定され、該表示側筐体２の長手方向にシャフト９を支承する支承部を有する第２プレート、９はシャフトであり、第１及び第２のプレートの支承部で軸支されることにより操作側筐体１及び表示側筐体２を回動可能にする。６−ａ、６−ｂは第１プレート４を回転ヒンジ３に固定し、ヒンジ軸と連結させるネジ、７−ａ、７−ｂは第２プレートを表示側筐体２の裏面に固定するネジ、８は表示側筐体２の表面に配置された表示画面、Ａ及びＢは表示画面８を挟んで表示側筐体２の長手方向一端側及び他端側にそれぞれ配設された受話装置である。
【００１５】
即ち、図３は操作側筐体１と表示側筐体２とが重なり合って閉じた状態を示し、図３（ａ）における断面Ｕは図３（ｂ）示すように横方向の回転ヒンジ３部断面であり、図３（ａ）における断面Ｔは図３（ｃ）に示すように筐体長手方向の中心断面を示す。図３（ｃ）の断面Ｔに示すとおり、受話装置Ａ及びＢは表示画面８を長手方向に挟み込む配置としている。また、図３（ｂ）の断面Ｕに示すとおり、操作側筐体１に回転ヒンジ３本体が固定され、ヒンジ軸に連結された第１プレート４と表示側筐体２がシャフト９、第２プレート５を介して連結されているので、回転ヒンジ３によって操作側筐体１と表示側筐体２とが各々の対抗面上で回転可能になっている。
【００１６】
この状態では、操作側筐体１の長手方向に回転ヒンジ３取り付け部からより離れている一端側に送話装置が設けられているので、該送話装置からの距離がより離れている受話装置Ａが通話時に受話装置として動作する。
【００１７】
一方、第１プレート４と第２プレート５とがシャフト９によって軸支されているので、操作側筐体１及び表示側筐体２が閉じている状態において、シャフト９を中心に操作側筐体１及び表示側筐体２を回転させることにより、図４に示すように操作側筐体１上で表示側筐体２が傾斜した状態になる。この傾斜状態はシャフト９と第１及び第２プレートの支承部との摩擦により、その状態を保持することができる。したがって、机上に本実施の形態にかかる携帯電話機を置いてテレビジョン放送を視聴する場合には、表示側筐体２が傾斜することでユーザが表示画面８を見易くすることができる。この場合、受話装置Ａ、Ｂの双方をスピーカとして動作させれば、ステレオ音を発することができる。
【００１８】
図５は回転ヒンジ３によって表示側筐体２を操作側筐体１に対し９０°回転させ、ユーザから見て表示側筐体２の表示画面８が横長画面となった状態図であり、図５（ａ）における断面Ｔを図５（ｂ）に示す。図５（ｂ）に示すようにシャフト９を中心として操作側筐体１に対して表示側筐体２を回転させることにより、操作側筐体１上で表示側筐体２が傾斜した状態になる。そして、この状態はシャフト９と第１及び第２プレートの支承部との摩擦により保持される。ユーザは横長画面の表示画面８でテレビジョン放送を視聴することができ、また、受話装置Ａ、Ｂの双方をスピーカとして動作させることにより、ステレオ音を発することができる。
【００１９】
次に、図６は回転ヒンジ３により、表示側筐体２が操作側筐体１に対して１８０°回転した開状態の図である。図５において、図５（ａ）の断面Ｄを図５（ｂ）に示し、断面Ｔを図５（ｃ）に示す。この状態では、操作側筐体１の回転ヒンジ３取り付け位置からより離れた一端側に設けられた送話器との距離が受話装置Ａよりも受話装置Ｂの方が離れている。したがって、通話時には受話装置Ｂが動作される。
【００２０】
なお、上記の実施の形態では、回転ヒンジ３本体を操作側筐体１に固定し、ヒンジ軸を表示側筐体２に連結するものとしているが、逆に取り付けたとしても同様に動作させることができる。即ち、回転ヒンジ３本体を表示側筐体１に固定し、ヒンジ軸を操作側筐体２に連結するものとしてもよい。
【産業上の利用可能性】
【００２１】
本発明は、テレビジョン放送を視聴することが可能な携帯電話機に適用することができるものである。
【図面の簡単な説明】
【００２２】
【図１】本発明の実施の形態に係る回転操作状態を示す状態図である。
【図２】本発明の実施の形態に係る携帯電話機の操作側筐体及び表示側筐体の回転機構の構成部品を示す斜視図である。
【図３】本発明の実施の形態に係る携帯電話機の操作側筐体と表示側筐体とが重なり合って閉じた状態を示す図である。
【図４】本発明の実施の形態に係る携帯電話機の操作側筐体と表示側筐体とが重なり合って閉じた状態で表示側筐体を傾斜させた状態を示す図である。
【図５】本発明の実施の形態に係る携帯電話機の操作側筐体と表示側筐体とを９０°回転させた状態を示す図である。
【図６】本発明の実施の形態に係る携帯電話機の操作側筐体と表示側筐体とを１８０°回転させた状態を示す図である。
【符号の説明】
【００２３】
１  操作側筐体    ２  表示側筐体    ３  ヒンジ    ４  第１プレート    ５  第２プレート    ８  表示画面    ９  シャフト    Ａ、Ｂ  受話装置
【図１】
2008227573.tif 000003
【図２】
2008227573.tif 000004
【図３】
2008227573.tif 000005
【図４】
2008227573.tif 000006
【図５】
2008227573.tif 000007
【図６】
2008227573.tif 000008